(57)【要約】  本発明の諸実施形態は、無線アクセス・ポイントＡＰを発見するための方法、装置、およびシステムを提供して、利用可能な無線アクセス・ポイントを高速に発見しモバイル端末ＳＴＡの電力を節約する目的を達成する。基地局コントローラＢＳＣは、モバイル端末ＳＴＡにより送信された要求メッセージを受信し、当該ＳＴＡ付近の１つまたは複数のＡＰに関する情報をアクセス・コントローラＡＣから取得し、通知メッセージを当該ＳＴＡに送信する。その結果、当該ＳＴＡがサービス・セット識別子ＳＳＩＤに基づいてアクティブ・スキャンを実施して対応するＡＰを発見する。
2014533904.tif 000002
【特許請求の範囲】
【請求項１】
無線アクセス・ポイントＡＰを発見するための方法であって
基地局コントローラＢＳＣにより、モバイル端末ＳＴＡにより送信された要求メッセージを受信するステップであって、前記要求メッセージは前記ＳＴＡがデータ・サービスを開始し前記ＳＴＡの位置情報を保持していることを示すために使用されるステップと、
前記基地局コントローラにより、前記ＳＴＡの前記位置情報を用いることによって、１つまたは複数のＡＰに関する情報をアクセス・コントローラＡＣから取得するステップであって、前記情報は前記１つまたは複数のＡＰのサービス・セット識別子ＳＳＩＤを含むステップと、
前記基地局コントローラによって、通知メッセージを前記ＳＴＡに送信するステップであって、前記通知メッセージは前記１つまたは複数のＡＰの前記ＳＳＩＤを保持し、その結果、前記ＳＴＡが前記ＳＳＩＤに基づいてアクティブ・スキャンを実施して前記ＳＳＩＤに対応するＡＰを発見するステップと、
を含む、方法。
【請求項２】
前記ＳＴＡの前記位置情報は前記ＳＴＡのセル識別子Ｃｅｌｌ  ＩＤまたは経度および緯度を含む、請求項１に記載の方法。
【請求項３】
前記情報が前記１つまたは複数のＡＰのトラフィック負荷をさらに含み、前記基地局コントローラは、フィルタリングにより、前記基地局コントローラが前記通知メッセージを前記ＳＴＡに送信する前に、事前設定閾値を下回るトラフィック負荷を有するＡＰを取得する、請求項１に記載の方法。
【請求項４】
前記基地局コントローラにより、前記モバイル端末ＳＴＡにより送信された前記要求メッセージを受信した後に、前記基地局コントローラが要求応答を前記ＳＴＡに送信し、前記ＢＳＣが前記要求メッセージを受信したことを前記ＳＴＡに通知する、請求項１乃至３の何れか１項に記載の方法。
【請求項５】
無線アクセス・ポイントＡＰを発見するための方法であって、
モバイル端末ＳＴＡにより、要求メッセージを基地局コントローラＢＳＣに送信するステップであって、前記要求メッセージは前記ＳＴＡがデータ・サービスを開始し前記ＳＴＡの位置情報を保持していることを示すために使用されるステップと、
前記モバイル端末により、前記ＢＳＣにより送信された通知メッセージを受信するステップであって、前記通知メッセージは１つまたは複数のＡＰに関する情報を保持し、前記情報は前記１つまたは複数のＡＰのサービス・セット識別子ＳＳＩＤを含むステップと、
前記モバイル端末により、Ｗｉ−Ｆｉモジュールを起動し、前記ＳＳＩＤに基づいてアクティブ・スキャンを実施して、前記ＳＳＩＤに対応するＡＰを発見するステップと、
を含む、方法。
【請求項６】
前記ＳＴＡの前記位置情報は、前記ＳＴＡのセル識別子Ｃｅｌｌ  ＩＤまたは経度および緯度である、請求項５に記載の方法。
【請求項７】
前記モバイル端末ＳＴＡにより、前記要求メッセージを前記基地局コントローラＢＳＣに送信した後に、前記ＳＴＡにより、前記ＢＳＣにより送信された要求応答を受信するステップをさらに含む、請求項５または６に記載の方法。
【請求項８】
無線通信システムであって、
モバイル端末ＳＴＡにより送信された要求メッセージを受信し、前記ＳＴＡの位置情報に従って、１つまたは複数の無線アクセス・ポイントＡＰに関する情報をアクセス・コントローラＡＣから取得し、通知メッセージを前記ＳＴＡに送信するように構成された基地局コントローラＢＳＣであって、前記要求メッセージは前記ＳＴＡがデータ・サービスを開始し前記ＳＴＡの位置情報を保持していることを示すために使用され、前記情報は前記１つまたは複数のＡＰのサービス・セット識別子ＳＳＩＤを含み、前記通知メッセージは前記１つまたは複数のＡＰの前記ＳＳＩＤを保持する基地局コントローラＢＳＣと、
前記ＡＣにより管理される前記１つまたは複数のＡＰに関する情報を前記基地局コントローラに提供するように構成された前記アクセス・コントローラＡＣであって、前記情報は前記１つまたは複数のＡＰの前記ＳＳＩＤを含む前記アクセス・コントローラＡＣと、
を備える、無線通信システム。
【請求項９】
前記ＳＴＡの前記位置情報は、前記ＳＴＡのセル識別子Ｃｅｌｌ  ＩＤまたは経度および緯度である、請求項８に記載のシステム。
【請求項１０】
前記１つまたは複数のＡＰに関する前記情報は前記１つまたは複数のＡＰのトラフィック負荷をさらに含み、前記基地局コントローラＢＳＣはさらに、フィルタリングにより、事前設定閾値を下回るトラフィック負荷を有するＡＰを取得するように構成された、請求項８に記載のシステム。
【請求項１１】
前記ＢＳＣはさらに、前記ＳＴＡにより送信された前記要求メッセージを受信した後に、要求応答を前記ＳＴＡに送信するように構成された、請求項８乃至１０の何れか１項に記載の方法。
【請求項１２】
基地局コントローラＢＳＣであって、
要求メッセージを受信し、１つまたは複数の無線アクセス・ポイントＡＰに関する情報を受信するように構成された受信器であって、前記要求メッセージはモバイル端末ＳＴＡがデータ・サービスを開始し前記ＳＴＡの位置情報を保持することを示すために使用され、前記情報は前記１つまたは複数のＡＰのサービス・セット識別子ＳＳＩＤを含む受信器と、
前記ＳＴＡの前記位置情報を用いることによって、前記１つまたは複数のＡＰに関する情報を取得するように構成されたプロセッサであって、前記情報は前記１つまたは複数のＡＰのＳＳＩＤを含むプロセッサと、
通知メッセージを送信するように構成された送信器であって、前記通知メッセージは前記プロセッサにより取得された前記１つまたは複数のＡＰの前記ＳＳＩＤを保持する送信器と、
を備える、基地局コントローラＢＳＣ。
【請求項１３】
前記ＳＴＡの前記位置情報は、前記ＳＴＡのセル識別子Ｃｅｌｌ  ＩＤまたは経度および緯度である、請求項１２に記載の基地局コントローラ。
【請求項１４】
前記１つまたは複数のＡＰに関する前記情報はさらに前記１つまたは複数のＡＰのトラフィック負荷を含み、前記処理モジュールはさらに、フィルタリングにより、事前設定閾値を下回るトラフィック負荷を有するＡＰを取得するように構成された、請求項１２に記載の基地局コントローラ。
【請求項１５】
前記送信器はさらにクエリ要求を送信するように構成され、前記クエリ要求は前記ＳＴＡの前記位置情報を保持する、請求項１２乃至１４の何れか１項に記載の基地局コントローラ。
【請求項１６】
前記基地局コントローラはさらに、前記ＢＳＣの管理範囲にあるＡＰの位置情報または前記受信器により受信された前記１つまたは複数のＡＰに関する前記情報を格納するように構成されたメモリであって、前記位置情報は、前記ＢＳＣの前記管理範囲にある前記ＡＰのＣｅｌｌ  ＩＤまたは経度および緯度であるメモリを備える、請求項１５に記載の基地局コントローラ。
【請求項１７】
アクセス・コントローラＡＣであって、
前記ＡＣにより管理される無線アクセス・ポイントＡＰに関する情報を格納するように構成されたメモリであって、前記ＡＰに関する前記情報はサービス・セット識別子ＳＳＩＤと位置情報を含むメモリと、
１つまたは複数のＡＰに関する情報を基地局コントローラに送信するように構成された送信器であって、前記情報は前記１つまたは複数のＡＰのＳＳＩＤを含む送信器と、
を備える、アクセス・コントローラＡＣ。
【請求項１８】
前記位置情報は、前記ＡＰのセル識別子Ｃｅｌｌ  ＩＤまたは経度および緯度である、請求項１７に記載のアクセス・コントローラ。
【請求項１９】
ＡＰ情報のクエリ要求を受信するように構成された受信器であって、前記クエリ要求は前記位置情報またはＭＡＣアドレスまたはＳＮを保持する受信器と、
前記ＡＰ情報のクエリ要求に従って、前記１つまたは複数のＡＰに関する情報を前記メモリに問い合わせるように構成されたプロセッサであって、前記情報は前記１つまたは複数のＡＰのＳＳＩＤを含むプロセッサと、
をさらに備える、請求項１７または１８に記載のアクセス・コントローラ。
【請求項２０】
モバイル端末ＳＴＡであって、
要求メッセージを基地局コントローラに送信するように構成された送信器であって、前記要求メッセージは前記ＳＴＡがデータ・サービスを開始し前記ＳＴＡの位置情報を保持していることを示すために使用される送信器と、
前記基地局コントローラにより送信された通知メッセージを受信するように構成された受信器であって、前記通知メッセージは１つまたは複数の無線アクセス・ポイントＡＰのサービス・セット識別子ＳＳＩＤを保持する受信器と、
前記ＳＳＩＤに基づいてアクティブ・スキャンを実施して前記ＳＳＩＤに対応するＡＰを発見するように構成されたプロセッサと、
を備える、モバイル端末ＳＴＡ。
【請求項２１】
前記ＳＴＡの前記位置情報は、前記ＳＴＡのセル識別子Ｃｅｌｌ  ＩＤまたは経度および緯度である、請求項２０に記載のモバイル端末。
【発明の詳細な説明】
【技術分野】
【０００１】
本願は、発明の名称を「無線アクセス・ポイントを発見するための方法、装置、およびシステム」とした、２０１１年１１月２１日に中国特許庁に出願した中国特許出願第２０１１１０３７１７４９．３号に対する優先権を主張し、その全体を引用により本明細書に取り込む。
【０００２】
本発明は通信技術の分野に関し、特に、無線アクセス・ポイントを発見するための方法、装置、システムに関する。
【背景技術】
【０００３】
３Ｇモバイル・ネットワークと４Ｇモバイル・ネットワーク技術が漸進的に適用され構築されるとともに、既存のネットワークの帯域幅と速度が大きな圧力に直面している。Ｗｉ−Ｆｉ（Ｗｉｒｅｌｅｓｓ  Ｆｉｄｅｌｉｔｙ、ワイヤレス・フィディリティ）ネットワークを用いることによってパケット交換ＰＳデータ・サービスのオフロードを実現しセルラ・データ・ネットワークの輻輳を軽減することは、様々な国の運用者により広く認識されており、迅速に推進されている。Ｗｉ−Ｆｉ技術とは、無線ローカル・エリア・ネットワークＷＬＡＮ技術である。当該ＷＬＡＮ技術は、パーソナル・コンピュータやハンドヘルド装置のような端末、例えば、ノートブック・コンピュータや携帯電話を無線方式で相互接続することができ、無線ブロードバンド・インターネット・アクセスをユーザに提供することができる。ユーザがＷｉ−Ｆｉネットワークでアクセスできる領域はホットスポット（ｈｏｔｓｐｏｔ）と呼ばれる。Ｗｉ−Ｆｉをサポートする装置は、ＡＰ（Ａｃｃｅｓｓ  Ｐｏｉｎｔ、無線アクセス・ポイント）との接続を確立することによってＷＬＡＮと接続する。
【０００４】
無線ネットワークにアクセスするために、ＳＴＡ（局、モバイル端末）は先ず、近傍の利用可能なＡＰを発見する必要があり、次に、ＳＴＡは認証および関連付けの後に当該ＡＰとのリンク接続を確立する。ＳＴＡが近傍の利用可能なＡＰに関する情報を取得するプロセスは、ホットスポット・ディスカバリと呼ばれる。先行技術では、ＳＴＡは利用可能なＡＰに関する情報をスキャン方式で取得する。スキャンは、アクティブ・スキャンとパッシブ・スキャンに分類される。アクティブ・スキャンのプロセスでは、ＳＴＡは要求フレームＰｒｏｂｅ  Ｒｅｑｕｅｓｔをブロードキャストして、ＳＴＡの利用可能なＡＰに関する情報を取得する。パッシブ・スキャンのプロセスでは、ＳＴＡはＰｒｏｂｅ  Ｒｅｑｕｅｓｔフレームを送信しないが、ＡＰにより定期的に送信されるブロードキャスト情報Ｂｅａｃｏｎフレームを受信して近傍の利用可能なＡＰを発見する。
【発明の概要】
【発明が解決しようとする課題】
【０００５】
現時点では、ＳＴＡが近傍の利用可能なＡＰに関する情報を取得したとき、ユーザは近傍に利用可能なＡＰが存在するかどうかを知らず、データ・サービスを使用する必要があるときにのみスキャンを実施するためにＷｉ−Ｆｉモジュールが起動されることを本願の発明者らは発見した。アクティブ・スキャンかパッシブ・スキャンかに関わらず、スキャン・チャネルのリストをＳＴＡに対して構成する必要があり、ＳＴＡはチャネルを１つずつスキャンする必要がある。当該方法を用いて利用可能なＡＰに関する情報を取得するとき、ＳＴＡはＷｉ−Ｆｉモジュールを起動して、各周波数を１つずつスキャンする必要がある。利用可能なＡＰが幾つかの周波数で見つからない可能性がある。したがって、先行技術には一定の欠点があり、電力や時間の無駄をもたらすおそれがある。さらに、利用可能なＡＰが付近にあるかどうかやＷｉ−Ｆｉモジュールを起動すべき時点をユーザが知るのは困難であり、その結果、マクロ基地局のデータ・サービスがＡＰによりオフロードされるという理想的でない効果が生ずる。
【課題を解決するための手段】
【０００６】
本発明の諸実施形態では、無線アクセス・ポイントＡＰを発見するための方法、装置、およびシステムを提供して、無線アクセス・ポイントを高速に発見しモＳＴＡの電力を節約する目的を達成する。
【０００７】
本発明の１態様では、無線アクセス・ポイントＡＰを発見するための方法を提供する。当該方法は、基地局コントローラＢＳＣにより、モバイル端末ＳＴＡにより送信された要求メッセージを受信するステップであって、当該要求メッセージは当該ＳＴＡがデータ・サービスを開始し当該ＳＴＡの位置情報を保持していることを示すために使用されるステップと、当該基地局コントローラにより、当該ＳＴＡの当該位置情報を用いることによって、１つまたは複数のＡＰに関する情報をアクセス・コントローラＡＣから取得するステップであって、当該情報は当該１つまたは複数のＡＰのサービス・セット識別子ＳＳＩＤを含むステップと、当該基地局コントローラによって、通知メッセージを当該ＳＴＡに送信するステップであって、当該通知メッセージは当該１つまたは複数のＡＰのＳＳＩＤを保持し、その結果、当該ＳＴＡが当該ＳＳＩＤに基づいてアクティブ・スキャンを実施して当該ＳＳＩＤに対応するＡＰを発見するステップと、を含む。
【０００８】
本発明の別の態様では、無線アクセス・ポイントＡＰを発見するための方法を提供する。当該方法は、モバイル端末ＳＴＡにより、要求メッセージを基地局コントローラＢＳＣに送信するステップであって、当該要求メッセージは当該ＳＴＡがデータ・サービスを開始し当該ＳＴＡの位置情報を保持していることを示すために使用されるステップと、当該モバイル端末により、当該ＢＳＣにより送信された通知メッセージを受信するステップであって、当該通知メッセージは１つまたは複数のＡＰに関する情報を保持し、当該情報は当該１つまたは複数のＡＰのサービス・セット識別子ＳＳＩＤを含むステップと、当該モバイル端末により、Ｗｉ−Ｆｉモジュールを起動し、当該ＳＳＩＤに基づいてアクティブ・スキャンを実施して、当該ＳＳＩＤに対応するＡＰを発見するステップと、を含む。
【０００９】
本発明の別の態様では無線通信システムを提供する。当該システムは、モバイル端末ＳＴＡにより送信された要求メッセージを受信し、当該ＳＴＡの当該位置情報に従って、１つまたは複数の無線アクセス・ポイントＡＰに関する情報をアクセス・コントローラＡＣから取得し、通知メッセージを当該ＳＴＡに送信するように構成された基地局コントローラＢＳＣであって、当該要求メッセージは当該ＳＴＡがデータ・サービスを開始し当該ＳＴＡの位置情報を保持していることを示すために使用され、当該情報は当該１つまたは複数のＡＰのサービス・セット識別子ＳＳＩＤを含み、当該通知メッセージは当該１つまたは複数のＡＰのＳＳＩＤを保持する基地局コントローラＢＳＣと、当該ＡＣにより管理される当該１つまたは複数のＡＰに関する情報を当該基地局コントローラに提供するように構成された当該アクセス・コントローラＡＣであって、当該情報は当該１つまたは複数のＡＰのＳＳＩＤを含むアクセス・コントローラＡＣと、を備える。
【００１０】
本発明の別の態様では基地局コントローラＢＳＣを提供する。当該ＢＳＣは、要求メッセージを受信し、１つまたは複数の無線アクセス・ポイントＡＰに関する情報を受信するように構成された受信器であって、当該要求メッセージはＳＴＡがデータ・サービスを開始し当該ＳＴＡの位置情報を保持することを示すために使用され、当該情報は当該１つまたは複数のＡＰのサービス・セット識別子ＳＳＩＤを含む受信器と、当該ＳＴＡの当該位置情報を用いることによって、当該１つまたは複数のＡＰに関する情報を取得するように構成されたプロセッサであって、当該情報は当該１つまたは複数のＡＰのＳＳＩＤを含むプロセッサと、通知メッセージを送信するように構成された送信器であって、当該通知メッセージは当該プロセッサにより取得された当該１つまたは複数のＡＰのＳＳＩＤを保持する送信器と、を備える。
【００１１】
本発明の別の態様ではアクセス・コントローラＡＣを提供する。当該ＡＣは、当該ＡＣにより管理される無線アクセス・ポイントＡＰに関する情報を格納するように構成されたメモリであって、当該ＡＰに関する情報はサービス・セット識別子ＳＳＩＤと位置情報を含むメモリと、１つまたは複数のＡＰに関する情報を基地局コントローラに送信するように構成された送信器であって、当該情報は当該１つまたは複数のＡＰのＳＳＩＤを含む送信器と、を備える。
【００１２】
本発明の別の態様ではモバイル端末ＳＴＡを提供する。当該ＳＴＡは、要求メッセージを基地局コントローラに送信するように構成された送信器であって、当該要求メッセージは当該ＳＴＡがデータ・サービスを開始し当該ＳＴＡの位置情報を保持していることを示すために使用される送信器と、当該基地局コントローラにより送信された通知メッセージを受信するように構成された受信器であって、当該通知メッセージは１つまたは複数の無線アクセス・ポイントＡＰのサービス・セット識別子ＳＳＩＤを保持する受信器と、当該ＳＳＩＤに基づいてアクティブにスキャンを実施して当該ＳＳＩＤに対応するＡＰを発見するように構成されたプロセッサと、を備える。
【００１３】
本発明の諸実施形態で提供する利用可能なＡＰを発見するための方法、装置、およびシステムでは、モバイル端末ＳＴＡがＷｉ−Ｆｉモジュールを起動せずにデータ・サービスを開始したとき、基地局コントローラはＳＴＡ付近の１つまたは複数のＡＰのＳＳＩＤおよび他の情報を取得しＳＴＡに通知する。当該ＳＴＡはＷｉ−Ｆｉモジュールを起動し、ＳＳＩＤに基づいて一部のＡＰのみをスキャンする。その結果、無効なスキャンによる電力と時間の無駄が減り、モバイル通信ネットワークのリソース利用が改善される。
【図面の簡単な説明】
【００１４】
【図１】本発明の１実施形態に従う無線ローカル・エリア・ネットワークの略構造図である。
【図２】本発明の１実施形態に従う無線アクセス・ポイントを発見するための方法の流れ図である。
【図３】本発明の１実施形態に従う無線通信システムの略構造図である。
【図４】本発明の１実施形態に従う基地局コントローラの略構造図である。
【図５】本発明の１実施形態に従うアクセス・コントローラの略構造図である。
【図６】本発明の１実施形態に従うモバイル端末の略構造図である。
【発明を実施するための形態】
【００１５】
本発明の目的、技術的解決策、および利点をより分かりやすくするために、以下では、具体的な実施形態と添付図面を参照して本発明の技術的解決策を詳細に説明する。
【００１６】
図１に示すように、無線ローカル・エリア・ネットワークＷＬＡＮでは、基地局ＢＳは基地局コントローラＢＳＣにより管理される。基地局コントローラとは、様々な通信ネットワークにおける様々な装置を指し、基地局コントローラＢＳＣ、無線ネットワーク・コントローラＲＮＣ、ベースバンド・ユニットＢＢＵ等であってもよい。ＢＳが配置されているセルは複数の無線アクセス・ポイントＡＰを有し、複数のＡＰはスイッチＳｗｉｔｃｈに接続され、アクセス・コントローラＡＣにより均一に管理され、モバイル端末ＳＴＡは、ＡＰを用いることによって、無線ローカル・エリア・ネットワークＷＬＡＮにアクセスする。本発明の１実施形態では無線アクセス・ポイントを発見するための方法を提供する。当該方法によりモバイル端末ＳＴＡは利用可能なＡＰに関する情報を迅速に取得することができ、それにより、ＳＴＡの電力エネルギが節約されるという効果が達成される。
【００１７】
図２に示すように、本発明の１実施形態では無線アクセス・ポイントＡＰを発見するための方法を提供する。ＳＴＡがデータ・サービスを開始したことが検出されると、基地局コントローラは当該ＳＴＡ付近の１つまたは複数のＡＰに関する情報をＡＣから取得し、当該基地局コントローラが当該１つまたは複数のＡＰのＳＳＩＤ（Ｓｅｒｖｉｃｅ  Ｓｅｔ  Ｉｄｅｎｔｉｆｉｅｒ、サービス・セット識別子）および他の情報を当該ＳＴＡに送信し、当該ＳＴＡがアクティブにスキャンを行って当該ＳＳＩＤおよび他の情報に対応するＡＰを発見する。
【００１８】
本発明の当該実施形態で提供する無線アクセス・ポイントＡＰを発見するための方法の詳細なプロセスを図２に示す。
【００１９】
ステップ２０１では、モバイル端末ＳＴＡが要求メッセージを基地局コントローラＢＳＣに送信する。当該要求メッセージは、当該ＳＴＡがデータ・サービスを開始したことを示すために使用され、当該ＳＴＡの位置情報を保持する。ＳＴＡの位置情報が、ＳＴＡのセル識別子Ｃｅｌｌ  ＩＤまたは経度および緯度であってもよい。
【００２０】
ステップ２０１の実装方式が多数存在しうる。例えば、ＳＴＡが、所定のＩＰアドレスや所定のポートを用いることによって要求メッセージをＢＳＣに送信してもよく、または、ＲＲ（Ｒａｄｉｏ  Ｒｅｓｏｕｒｃｅ、無線リソース管理）層シグナリング、例えば、Ｃｈａｎｎｅｌ  Ｒｅｑｕｅｓｔメッセージを要求メッセージとして使用してもよい。ステップ２０１の実装方式には上記の２つの方式が含まれるがこれらに限らないことに留意されたい。
【００２１】
場合によっては、当該要求メッセージを受信した後に、ＢＳＣは、要求応答をＳＴＡに送信して、当該ＢＳＣが当該要求メッセージを受信したことをＳＴＡに通知してもよい。
【００２２】
ステップ２０２では、基地局コントローラが、ＳＴＡの位置情報を用いることによって、１つまたは複数のＡＰに関する情報をアクセス・コントローラＡＣから取得する。当該１つまたは複数のＡＰに関する当該情報は、当該１つまたは複数のＡＰのサービス・セット識別子ＳＳＩＤを含み、場合によっては、トラフィック負荷、チャネル周波数、ユーザ数、ＭＡＣアドレスまたはシリアル番号ＳＮ、認証および暗号化方式等のうち１つまたは複数をさらに含んでもよい。
【００２３】
当該要求メッセージは、ＳＴＡによりＢＳＣに送信され、ＳＴＡのＣｅｌｌ  ＩＤまたはＳＴＡの経度および緯度のような位置情報を保持することに留意されたい。ＢＳＣは、当該要求メッセージに保持されたＳＴＡのＣｅｌｌ  ＩＤまたは経度および緯度に従って問い合わせることによって、ＳＴＡ付近の１つまたは複数のＡＰに関する情報を直接取得してもよく、または、先ず当該経度および緯度に従ってＣｅｌｌ  ＩＤを取得し、次に当該Ｃｅｌｌ  ＩＤに従って問い合わせることによって、ＳＴＡ付近の１つまたは複数のＡＰに関する情報を取得してもよい。ＢＳＣまたはＡＣは、その管理範囲内のＡＰのＣｅｌｌ  ＩＤまたは経度および緯度を維持することができる。ＡＣにより格納されたＡＰ情報が多数の項目を含むことがある。当該基地局コントローラはこの項目の全てを取得してもよく、または、当該項目の一部のみを取得して時間とチャネル・リソースを節約してもよい。
【００２４】
ＳＴＡの位置情報を用いることによって１つまたは複数のＡＰに関する情報をＡＣから取得するための複数の方式が基地局コントローラに対して存在しうる。当該方式には以下の方式が含まれるが、これらに限らない。
【００２５】
第１の方式では、ＡＣが当該ＡＣにより管理されるＡＰの位置情報とＳＳＩＤを格納する。当該ＡＣはさらに、トラフィック負荷、チャネル周波数、ユーザ数、認証および暗号化方式、サポートされるプロトコル等のうち１つまたは複数の情報を含んでもよい。ここで、ＡＰはＭＡＣアドレスまたはシリアル番号ＳＮにより区別される。ＳＴＡの要求メッセージを受信した後、基地局コントローラはクエリ要求をＡＣに送信し、当該要求メッセージに保持されている位置情報に従って１つまたは複数のＡＰのＳＳＩＤを問い合わせてもよい。当該ＡＰはさらに、トラフィック負荷、チャネル周波数、ＭＡＣアドレスまたはＳＮ、ユーザ数、認証および暗号化方式、サポートされるプロトコル等のうち１つまたは複数の情報を問い合わせてもよい。
【００２６】
第２の方式では、基地局コントローラがその管理範囲内のＡＰの位置情報を格納してもよい。ここで、様々なＡＰはＭＡＣアドレスまたはＳＮによって区別される。ＡＣは、当該ＡＣが管理するＡＰのＳＳＩＤを格納し、さらに、トラフィック負荷、チャネル周波数、ユーザ数、認証および暗号化方式、サポートされるプロトコル等のうち１つまたは複数の情報を含んでもよい。ＳＴＡの要求メッセージを受信した後、基地局コントローラは、ＳＴＡ付近の１つまたは複数のＡＰのＭＡＣアドレスまたはＳＮを当該要求メッセージに保持されている位置情報に従って問い合わせ、次いでクエリ要求をＡＣに送信し、当該ＭＡＣアドレスまたはＳＮを用いることによって、対応するＡＰに関する情報をＡＣに問い合わせてもよい。ここで、当該ＡＰに関する情報はＳＳＩＤを含み、さらに、トラフィック負荷、チャネル周波数、ユーザ数、認証および暗号化方式、サポートされるプロトコル等のうち１つまたは複数の情報を含んでもよい。
【００２７】
第３の方式では、ＡＣが、当該ＡＣが管理するＡＰの位置情報とＳＳＩＤを格納し、さらに、トラフィック負荷、チャネル周波数、ユーザ数、認証および暗号化方式、サポートされるプロトコル等のうち１つまたは複数の情報を含んでもよい。ここで、ＡＰはＭＡＣアドレスまたはＳＮにより区別される。ＡＣは定期的かつアクティブにＡＰ情報を基地局コントローラに報告する。当該ＡＰ情報はＡＰの位置情報とＳＳＩＤを含み、さらに、トラフィック負荷、チャネル周波数、ユーザ数、認証および暗号化方式、サポートされるプロトコル等のうち１つまたは複数の情報を含んでもよい。ＳＴＡの要求メッセージを受信した後、基地局コントローラは当該要求メッセージに保持された位置情報に従って１つまたは複数のＡＰのＳＳＩＤと他の情報を問い合わせる。
【００２８】
ステップ２０３では、基地局コントローラが通知メッセージをＳＴＡに送信する。当該通知メッセージは１つまたは複数のＡＰのＳＳＩＤおよび他の情報を保持する。
【００２９】
当該通知メッセージをＳＴＡに送信するとき、ＢＳＣは所定のポートをステップ２０１で使用してもよく、または、ＲＲ層シグナリングを当該通知メッセージとして使用してもよい。基地局コントローラが、ショート・メッセージ・サービスのメッセージまたはポップアップ・ウィンドウ等の形でＡＰ情報をＳＴＡに送信してもよい。
【００３０】
場合によっては、ステップ２０２のＡＰ情報がトラフィック負荷を含んでもよい。通知メッセージをＳＴＡに送信する前に、ＢＳＣが先ずＡＰでフィルタリングを行って、事前設定閾値を下回るトラフィック負荷を有するＡＰを取得してもよい。
【００３１】
ステップ２０４では、ＳＴＡがＷｉ−Ｆｉモジュールを起動し、ＳＳＩＤと他の情報に基づいてアクティブ・スキャンを実施して、当該ＳＳＩＤおよび他の情報に対応するＡＰを発見する。
【００３２】
ＳＴＡがＳＳＩＤと他の情報に基づいてアクティブ・スキャンを実施するとき、利用可能なＡＰが見つからないことがありうる。ＳＴＡは時間閾値を事前に設定してもよく、スキャンの最中に、当該時間閾値を超えた後に利用可能なＡＰが見つからなかった場合には、Ｗｉ−Ｆｉモジュールを停止し、Ｗｉ−Ｆｉへの切り替えに失敗したことをＳＴＡがさらに基地局コントローラに報告して、当該基地局コントローラが切替成功率に関する統計値を収集して切替ポリシやアルゴリズムをタイムリに更新できるようにしてもよい。
【００３３】
本発明の当該実施形態で提供する利用可能なＡＰを発見するための方法では、ＳＴＡのユーザがＷｉ−Ｆｉモジュールを起動せずにデータ・サービスを開始したときに、基地局コントローラはＳＴＡ付近の１つまたは複数のＡＰのＳＳＩＤおよび他の情報を取得してＳＴＡに通知する。ＳＴＡはＷｉ−Ｆｉモジュールを起動し、当該ＳＳＩＤに基づいて一部のＡＰのみをスキャンする。その結果、無効なスキャンによる電力と時間の無駄が減り、モバイル通信ネットワークのリソース利用が改善される。
【００３４】
本発明の１実施形態では無線通信システムを提供する。図３に示すように、当該システムは、基地局コントローラＢＳＣとアクセス・コントローラＡＣを備える。具体的には以下の通りである。
【００３５】
基地局コントローラＢＳＣ３０１は、モバイル端末ＳＴＡにより送信された要求メッセージを受信するように構成される。当該要求メッセージは当該ＳＴＡがデータ・サービスを開始し当該ＳＴＡの位置情報を保持していることを示すために使用される。当該ＳＴＡの当該位置情報が当該ＳＴＡのセル識別子Ｃｅｌｌ  ＩＤまたは経度および緯度であってもよい。ＢＳＣは、ＳＴＡの当該位置情報を用いることによって、１つまたは複数のＡＰに関する情報をＡＣから取得し、通知メッセージをＳＴＡに送信するように構成される。当該情報は当該１つまたは複数のＡＰのＳＳＩＤであり、当該通知メッセージは当該１つまたは複数のＡＰの当該ＳＳＩＤおよび他の情報を保持する。
【００３６】
アクセス・コントローラＡＣ３０２は、当該ＡＣにより管理される当該１つまたは複数のＡＰに関する情報を当該基地局コントローラに提供するように構成される。当該情報は当該１つまたは複数のＡＰのＳＳＩＤを含む。
【００３７】
当該１つまたは複数のＡＰに関する情報はさらに、トラフィック負荷、チャネル周波数、ユーザ数、ＭＡＣアドレスまたはシリアル番号ＳＮ、認証および暗号化方式等のうち１つまたは複数を含んでもよい。
【００３８】
本発明の当該実施形態では、基地局コントローラ３０１がＳＴＡの位置情報を用いることによって、１つまたは複数のＡＰに関する情報をアクセス・コントローラ３０２から取得する具体的な方式が、上述の方法の実施形態のステップ２０２における３つの方式のうち何れか１つであってもよいが、当該３つの方式には限定されない。具体的なステップについてはここでは再度説明しない。
【００３９】
基地局コントローラＢＳＣ３０１がモバイル端末ＳＴＡにより送信された要求メッセージを受信することは具体的には以下のようであってもよい。
【００４０】
ＢＳＣが、所定のＩＰアドレスと所定のポートを用いることによって、または、当該要求メッセージとして使用されるＲＲ（Ｒａｄｉｏ  Ｒｅｓｏｕｒｃｅ、無線リソース管理）層シグナリングを用いることによって、ＳＴＡが送信した要求メッセージを受信する。
【００４１】
本発明の当該実施形態では、基地局コントローラをさらに、ＡＣから取得された１つまたは複数のＡＰに関する情報に対してフィルタリングを実施して、事前設定閾値を下回るトラフィック負荷を有するＡＰを取得するように構成してもよい。
【００４２】
本発明の当該実施形態により提供される無線通信システムでは、ＳＴＡのユーザがＷｉ−Ｆｉモジュールを起動せずにデータ・サービスを開始したとき、基地局コントローラＳＴＡは付近の１つまたは複数のＡＰのＳＳＩＤおよび他の情報を取得してＳＴＡに通知する。ＳＴＡはＷｉ−Ｆｉモジュールを起動し、当該ＳＳＩＤに基づいて一部のＡＰのみをスキャンする。その結果、無効なスキャンによる電力と時間の無駄が減り、モバイル通信ネットワークのリソース利用が改善される。
【００４３】
本発明の１実施形態では基地局コントローラを提供する。図４に示すように４、当該基地局コントローラは、要求メッセージを受信し、１つまたは複数のＡＰに関する情報を受信するように構成された受信器４０１であって、当該要求メッセージは当該ＳＴＡがデータ・サービスを開始し当該ＳＴＡの位置情報を保持していることを示すために使用され、当該ＳＴＡの当該位置情報は当該ＳＴＡのセル識別子Ｃｅｌｌ  ＩＤまたは経度および緯度であってもよく、当該情報は当該１つまたは複数のＡＰのＳＳＩＤを含む受信器４０１と、ＳＴＡの当該位置情報を用いることによって、１つまたは複数のＡＰに関する情報を取得するように構成されたプロセッサ４０２であって、当該情報は当該１つまたは複数のＡＰのＳＳＩＤを含むプロセッサ４０２と、通知メッセージを送信するように構成された送信器４０３であって、当該通知メッセージは当該プロセッサにより取得された当該１つまたは複数のＡＰのＳＳＩＤを保持する送信器４０３と、を備える。
【００４４】
当該１つまたは複数のＡＰに関する情報がさらに、トラフィック負荷、チャネル周波数、ユーザ数、ＭＡＣアドレスまたはシリアル番号ＳＮ、認証および暗号化方式等のうち１つまた複数を含んでもよい。
【００４５】
本発明の当該実施形態では、クエリ要求を送信するように当該送信器をさらに構成してもよい。当該クエリ要求はＳＴＡの位置情報を保持する。
【００４６】
場合によっては、本発明の当該実施形態において、１つまたは複数のＡＰに関する情報に対してフィルタリングを実施して、事前設定閾値を下回るトラフィック負荷を有するＡＰを取得するように当該プロセッサをさらに構成してもよい。
【００４７】
本実施形態の当該基地局コントローラはさらに、ＢＳＣの管理範囲にあるＡＰの位置情報または当該受信器により受信された当該１つまたは複数のＡＰに関する情報を格納するように構成されたメモリ４０４であって、当該位置情報は、当該ＢＳＣの管理範囲内の当該ＡＰのＣｅｌｌ  ＩＤまたは経度および緯度であるメモリ４０４を備えてもよい。
【００４８】
本発明の当該実施形態で提供する基地局コントローラでは、ＳＴＡのユーザがＷｉ−Ｆｉモジュールを起動せずにデータ・サービスを開始したとき、当該基地局コントローラＳＴＡは付近の１つまたは複数のＡＰのＳＳＩＤおよび他の情報を取得してＳＴＡに通知する。ＳＴＡはＷｉ−Ｆｉモジュールを起動し、ＳＳＩＤに基づいて一部のＡＰのみをスキャンする。その結果、無効なスキャンによる電力と時間の無駄が減り、モバイル通信ネットワークのリソース利用が改善される。
【００４９】
本発明の１実施形態ではアクセス・コントローラＡＣを提供する。図５に示すように、当該アクセス・コントローラは、ＡＣにより管理されるＡＰに関する情報を格納するように構成されたメモリ５０１であって、当該ＡＰに関する情報はサービス・セット識別子ＳＳＩＤと位置情報を含み、さらに、位置情報、トラフィック負荷、ユーザ数、認証および暗号化方式等のうち１つまたは複数の情報を含んでもよいメモリ５０１と、１つまたは複数のＡＰに関する情報を基地局コントローラに送信するように構成された送信器５０２であって、当該情報は当該１つまたは複数のＡＰのＳＳＩＤを含み、さらに、位置情報、トラフィック負荷、チャネル周波数、ユーザ数、ＭＡＣアドレスまたはシリアル番号ＳＮ、認証および暗号化方式等のうち１つまたは複数の情報を含んでもよい送信器５０２と、を備える。当該位置情報は、当該ＡＰのＣｅｌｌ  ＩＤまたは経度および緯度である。
【００５０】
場合によっては、本発明の当該実施形態により提供するアクセス・コントローラがさらに、ＡＰ情報のクエリ要求を受信するように構成された受信器５０３であって、当該クエリ要求は当該位置情報またはＭＡＣアドレスまたはＳＮを保持する受信器５０３と、当該ＡＰ情報のクエリ要求に従って、１つまたは複数のＡＰに関する情報に関する情報をメモリに問い合わせるように構成されたプロセッサ５０４であって、当該情報は、当該１つまたは複数のＡＰのＳＳＩＤを含み、さらに、トラフィック負荷、チャネル周波数、ユーザ数、ＭＡＣアドレスまたはシリアル番号ＳＮ、認証および暗号化方式等のうち１つまたは複数の情報を含んでもよいプロセッサ５０４と、を含んでもよい。
【００５１】
本発明の当該実施形態により提供するアクセス・コントローラでは、ＳＴＡのユーザがＷｉ−Ｆｉモジュールを起動せずにデータ・サービスを開始したとき、当該アクセス・コントローラにより、基地局コントローラは当該ＳＴＡ付近の１つまたは複数のＡＰに関する情報を迅速に取得することができ、基地局コントローラは付近の１つまたは複数のＡＰのＳＳＩＤと他の情報をＳＴＡに通知する。ＳＴＡはＷｉ−Ｆｉモジュールを起動し、ＳＳＩＤに基づいて一部のＡＰのみをスキャンする。その結果、無効なスキャンによる電力と時間の無駄が減り、モバイル通信ネットワークのリソース利用が改善される。
【００５２】
本発明の１実施形態ではモバイル端末ＳＴＡを提供する。図６に示すように、当該ＳＴＡは、要求メッセージを送信するように構成された送信器６０１であって、当該要求メッセージは当該ＳＴＡがデータ・サービスを開始し当該ＳＴＡの位置情報を保持していることを示すために使用され、当該ＳＴＡの当該位置情報は当該ＳＴＡのセル識別子Ｃｅｌｌ  ＩＤまたは経度および緯度であってもよい送信器６０１と、通知メッセージを受信するように構成された受信器６０２であって、当該通知メッセージは１つまたは複数のＡＰのＳＳＩＤと他の情報を保持する受信器６０２と、当該ＳＳＩＤに基づいてアクティブ・スキャンを実施して当該ＳＳＩＤに対応するＡＰを発見するように構成されたプロセッサ６０３と、を備える。
【００５３】
本発明の当該実施形態で提供するモバイル端末ＳＴＡは、当該ＳＴＡがＷｉ−Ｆｉモジュールを起動せずにデータ・サービスを開始したときに、ＳＴＡ付近の１つまたは複数のＡＰのＳＳＩＤおよび他の情報を基地局コントローラから迅速に取得することができる。ＡＰ情報を基地局コントローラから取得した後、ＳＴＡはＷｉ−Ｆｉモジュールを起動し、当該ＳＳＩＤに基づいて一部のＡＰのみをスキャンする。その結果、無効なスキャンによる電力と時間の無駄が減り、モバイル通信ネットワークのリソース利用が改善される。
【００５４】
本発明の諸実施形態により提供する方法、装置、およびシステムの実施形態は、Ｗｉ−Ｆｉ、ＧＳＭ（登録商標）、ＵＭＴＳ、ＬＴＥ、およびＷｉＭＡＸのような様々なモバイル通信ネットワークに適用可能であることに留意されたい。基地局コントローラは特に、基地局コントローラＢＳＣ、無線ネットワーク・コントローラＲＮＣ、ベースバンド・ユニットＢＢＵ等であってもよい。本発明の諸実施形態におけるＢＳＣとＡＣの機能を別のネットワーク要素で実装してもよい。
【００５５】
本実施形態の以上の説明に基づいて、本発明を、ソフトウェアと必要なハードウェア・プラットフォームにより、または、ハードウェアのみにより実装してもよいことは当業者には明らかである。かかる理解をもとに、本発明の技術的解決策により背景技術の欄の技術に寄与する全部または部分をソフトウェア製品の形で実装してもよい。コンピュータ・ソフトウェア製品は、ＲＯＭ／ＲＡＭ、磁気ディスク、または光ディスクのような記憶媒体に格納され、諸実施形態で説明した方法または本発明の諸実施形態の一部を実施するようにコンピュータ装置に指示するための幾つかの命令を含む。当該コンピュータ装置は、パーソナル・コンピュータ、サーバ、またはネットワーク装置であってもよい。
【００５６】
以上の実施形態は、本発明を限定するものではなく本発明の技術的解決策を説明するためのものにすぎない。本発明を以上の実施形態を参照して詳細に説明したが、当業者が本発明の諸実施形態の技術的解決策の趣旨と範囲から逸脱せずに以上の実施形態で説明した技術的解決策に修正を加えまたはその幾つかの技術的特徴に対して均等な置換えを行ってもよいことは当業者には理解される。
【符号の説明】
【００５７】
３０１  基地局コントローラＢＳＣ
３０２  アクセス・コントローラＡＣ
４０１  受信器
４０２  プロセッサ
４０３  送信器
４０４  メモリ
５０１  メモリ
５０２  送信器
５０３  受信器
５０４  プロセッサ
６０１  送信器
６０２  受信器
６０３  プロセッサ
【図１】
2014533904.tif 000003
【図２】
2014533904.tif 000004
【図３】
2014533904.tif 000005
【図４】
2014533904.tif 000006
【図５】
2014533904.tif 000007
【図６】
2014533904.tif 000008
【手続補正書】
【提出日】平成26年6月18日(2014.6.18)
【手続補正１】
【補正対象書類名】明細書
【補正対象項目名】００１６
【補正方法】変更
【補正の内容】
【００１６】
図１に示すように、無線ローカル・エリア・ネットワークＷＬＡＮでは、基地局ＢＳは基地局コントローラＢＳＣにより管理される。基地局コントローラとは、様々な通信ネットワークにおける様々な装置を指し、基地局コントローラＢＳＣ、無線ネットワーク・コントローラＲＮＣ、ベースバンド・ユニットＢＢＵ等であってもよい。ＢＳが配置されているセルは複数の無線アクセス・ポイントＡＰを有し、複数のＡＰはスイッチに接続され、アクセス・コントローラＡＣにより均一に管理され、モバイル端末ＳＴＡは、ＡＰを用いることによって、無線ローカル・エリア・ネットワークＷＬＡＮにアクセスする。本発明の１実施形態では無線アクセス・ポイントを発見するための方法を提供する。当該方法によりモバイル端末ＳＴＡは利用可能なＡＰに関する情報を迅速に取得することができ、それにより、ＳＴＡの電力エネルギが節約されるという効果が達成される。
【手続補正２】
【補正対象書類名】特許請求の範囲
【補正対象項目名】全文
【補正方法】変更
【補正の内容】
【特許請求の範囲】
【請求項１】
無線アクセス・ポイント（ＡＰ）を発見するための方法であって
基地局コントローラ（ＢＳＣ）により、モバイル端末により送信された要求メッセージを受信するステップであって、前記要求メッセージは前記モバイル端末がデータ・サービスを開始し前記モバイル端末の位置情報を保持していることを示すために使用されるステップと、
前記基地局コントローラにより、前記モバイル端末の前記位置情報を用いることによって、１つまたは複数のＡＰに関する情報をアクセス・コントローラ（ＡＣ）から取得するステップであって、前記１つまたは複数のＡＰに関する情報は前記１つまたは複数のＡＰのサービス・セット識別子（ＳＳＩＤ）を含むステップと、
前記基地局コントローラによって、通知メッセージを前記モバイル端末に送信するステップであって、前記通知メッセージは前記１つまたは複数のＡＰの前記ＳＳＩＤを保持し、その結果、前記モバイル端末が前記ＳＳＩＤに基づいてアクティブ・スキャンを実施して前記ＳＳＩＤに対応するＡＰを発見するステップと、
を含む、方法。
【請求項２】
１つまたは複数のＡＰに関する情報をアクセス・コントローラから取得するステップは、前記ＢＳＣにより、前記ＡＣにより管理されるＡＰの位置情報とＳＳＩＤを格納する前記ＡＣに対してクエリ要求を送信して、前記要求メッセージに保持された前記位置情報に従って前記１つまたは複数のＡＰの前記ＳＳＩＤを問わ合わせるステップを含む、請求項１に記載の方法。
【請求項３】
前記モバイル端末の前記位置情報は前記モバイル端末のセル識別子（Ｃｅｌｌ  ＩＤ）または経度および緯度を含む、請求項１または２に記載の方法。
【請求項４】
前記１つまたは複数のＡＰに関する情報が前記１つまたは複数のＡＰのトラフィック負荷をさらに含み、前記基地局コントローラは、フィルタリングにより、前記基地局コントローラが前記通知メッセージを前記モバイル端末に送信する前に、事前設定閾値を下回るトラフィック負荷を有するＡＰを取得し、前記通知メッセージは、前記事前設定閾値を下回るトラフィック負荷を有するＡＰのＳＳＩＤを保持する、請求項１乃至３の何れか１項に記載の方法。
【請求項５】
前記Ｃｅｌｌ  ＩＤは前記モバイル端末の経度および緯度に従って取得される、請求項３または４に記載の方法。
【請求項６】
無線アクセス・ポイント（ＡＰ）を発見するための方法であって、
モバイル端末により、要求メッセージを基地局コントローラ（ＢＳＣ）に送信するステップであって、前記要求メッセージは前記モバイル端末がデータ・サービスを開始し前記モバイル端末の位置情報を保持していることを示すために使用されるステップと、
前記モバイル端末により、前記ＢＳＣにより送信された通知メッセージを受信するステップであって、前記通知メッセージは１つまたは複数のＡＰに関する情報を保持し、前記１つまたは複数のＡＰに関する情報は前記１つまたは複数のＡＰのサービス・セット識別子（ＳＳＩＤ）を含むステップと、
前記モバイル端末により、Ｗｉ−Ｆｉモジュールを起動し、前記ＳＳＩＤに基づいてアクティブ・スキャンを実施して、前記ＳＳＩＤに対応するＡＰを発見するステップと、
を含む、方法。
【請求項７】
前記モバイル端末の前記位置情報は、前記モバイル端末のセル識別子（Ｃｅｌｌ  ＩＤ）または経度および緯度である、請求項６に記載の方法。
【請求項８】
基地局コントローラ（ＢＳＣ）であって、
要求メッセージをモバイル端末から受信するように構成された受信器であって、前記要求メッセージは前記モバイル端末がデータ・サービスを開始し前記モバイル端末の位置情報を保持することを示すために使用される受信器と、
前記モバイル端末の前記位置情報を用いることによって、前記１つまたは複数のＡＰに関する情報をアクセス・コントローラ（ＡＣ）から取得するように構成されたプロセッサであって、前記１つまたは複数のＡＰに関する情報は前記１つまたは複数のＡＰのＳＳＩＤを含むプロセッサと、
通知メッセージを前記ＡＣに送信するように構成された送信器であって、前記通知メッセージは前記プロセッサにより取得された前記１つまたは複数のＡＰの前記ＳＳＩＤを保持する送信器と、
を備える、基地局コントローラ。
【請求項９】
前記モバイル端末の前記位置情報は、前記モバイル端末のセル識別子（Ｃｅｌｌ  ＩＤ）または経度および緯度である、請求項８に記載の基地局コントローラ。
【請求項１０】
前記１つまたは複数のＡＰに関する前記情報はさらに前記１つまたは複数のＡＰのトラフィック負荷を含み、前記プロセッサはさらに、フィルタリングにより、事前設定閾値を下回るトラフィック負荷を有するＡＰを取得するように構成され、前記通知メッセージは、前記事前設定閾値を下回るトラフィック負荷を有するＡＰのＳＳＩＤを保持する、請求項８または９に記載の基地局コントローラ。
【請求項１１】
前記送信器はさらにクエリ要求を前記ＡＣに送信するように構成され、前記クエリ要求は前記モバイル端末の前記位置情報を保持する、請求項８乃至１０の何れか１項に記載の基地局コントローラ。
【請求項１２】
アクセス・コントローラ（ＡＣ）であって、
前記ＡＣにより管理される無線アクセス・ポイント（ＡＰ）に関する情報を格納するように構成されたメモリであって、前記ＡＰに関する前記情報はサービス・セット識別子（ＳＳＩＤ）と位置情報を含むメモリと、
１つまたは複数のＡＰに関する情報を基地局コントローラに送信するように構成された送信器であって、前記１つまたは複数のＡＰに関する情報は前記１つまたは複数のＡＰのＳＳＩＤを含む送信器と、
を備える、アクセス・コントローラ。
【請求項１３】
前記位置情報は、前記ＡＰのセル識別子（Ｃｅｌｌ  ＩＤ）または経度および緯度である、請求項１２に記載のアクセス・コントローラ。
【請求項１４】
ＡＰ情報のクエリ要求を基地局コントローラ（ＢＳＣ）から受信するように構成された受信器であって、前記クエリ要求は前記位置情報を保持する受信器と、
前記ＡＰ情報のクエリ要求に従って、前記１つまたは複数のＡＰに関する情報を前記メモリに問い合わせるように構成されたプロセッサであって、前記１つまたは複数のＡＰに関する情報は前記１つまたは複数のＡＰのＳＳＩＤを含むプロセッサと、
をさらに備える、請求項１２または１３に記載のアクセス・コントローラ。
【請求項１５】
モバイル端末であって、
要求メッセージを基地局コントローラに送信するように構成された送信器であって、前記要求メッセージは前記モバイル端末がデータ・サービスを開始し前記モバイル端末の位置情報を保持していることを示すために使用される送信器と、
前記基地局コントローラにより送信された通知メッセージを受信するように構成された受信器であって、前記通知メッセージは１つまたは複数の無線アクセス・ポイント（ＡＰ）のサービス・セット識別子（ＳＳＩＤ）を保持する受信器と、
前記ＳＳＩＤに基づいてアクティブ・スキャンを実施して前記ＳＳＩＤに対応するＡＰを発見するように構成されたプロセッサと、
を備える、モバイル端末。
【請求項１６】
前記モバイル端末の前記位置情報は、前記モバイル端末のセル識別子（Ｃｅｌｌ  ＩＤ）または経度および緯度である、請求項１５に記載のモバイル端末。
【国際調査報告】
2014533904.tif 000009
2014533904.tif 000010
2014533904.tif 000011
2014533904.tif 000012